(57)【要約】  本開示の実施形態は、ワイヤレス通信システムにおけるランダム・アクセスを改善するための方法および装置に関連する。この方法は、基地局によって送信されたシステム情報に、第２のメッセージの送信に関する情報、または、第２のメッセージの送信に関する情報と第４のメッセージの送信に関する情報との両方を含めるステップと、基地局によって送信された第２のメッセージに、第３のメッセージの送信に関する情報、または、第３のメッセージの送信に関する情報と第４のメッセージの送信に関する情報との両方を含め、ＰＤＣＣＨスケジューリング無しで、ランダム・アクセス手順を達成するようにするステップと、貧弱なカバレッジ・パフォーマンスを有するＵＥのスペクトル効率を改善するステップと、システムの実施複雑さを低減するステップと、を備える。本開示の実施形態は、本方法を実行するための対応する装置を提供する。
2016539559.tif 000002
【特許請求の範囲】
【請求項１】
ワイヤレス通信ネットワークにおけるランダム・アクセス手順のための方法であって、
第２のメッセージの送信に関する情報を備えているか、または、前記第２のメッセージの送信に関する情報と第４のメッセージの送信に関する情報との両方を備えている、システム情報を送信するステップと、
第１のワイヤレス・リソース・ブロックで、端末から送信された第１のメッセージを受信するステップと、
前記第２のメッセージの送信に関する情報に従って、第２のワイヤレス・リソース・ブロックで、前記第２のメッセージを前記端末へ送信するステップであって、前記第２のメッセージは、第３のメッセージの送信に関する情報を備えているか、または、前記第３のメッセージの送信に関する情報と前記第４のメッセージの送信に関する情報との両方を備えている、ステップと、
前記第３のメッセージの送信に関する情報に従って、第３のワイヤレス・リソース・ブロックで、前記端末から送信された前記第３のメッセージを受信するステップと、
前記システム情報に含まれる前記第４のメッセージの送信に関する前記情報、および／または、前記第２のメッセージに含まれる前記第４のメッセージの送信に関する前記情報に従って、第４のワイヤレス・リソース・ブロックで、前記端末へ前記第４のメッセージを送信するステップと、
を備える方法。
【請求項２】
前記第２のメッセージの送信に関する前記情報と、前記システム情報に含まれる第４のメッセージの送信に関する前記情報とはそれぞれ、前記第２のメッセージの復号候補セットと、前記第４のメッセージの復号候補セットとを備え、前記第２のメッセージの前記復号候補セットと、前記第４のメッセージの前記復号候補セットにおける各候補は、以下の情報、すなわち、
−使用された物理リソースのサイズを示すための情報、
−前記使用された物理リソースの場所を示すための情報であって、前記物理リソースの前記場所情報は、時間と周波数の情報を備える、情報、
−使用された変調コーディング・フォーマットを示すための情報、
−使用された反復数を示すための情報、および
−使用されたスクランブリング・コードを示すための情報、
のうちの少なくとも１つのアイテムによって記述される、請求項１に記載の方法。
【請求項３】
前記第２のメッセージの送信に関する前記情報、および／または、前記第４のメッセージの送信に関する前記情報は、
各ＲＡＣＨリソースが、前記第２のメッセージの送信に関する対応する情報にマップされるか、および／または、前記第４のメッセージの送信に関する対応する情報にマップされるように、前記システム情報に含まれる各ＲＡＣＨリソースのためのマッピング基準を定義することによって前記システム情報に含められ、
前記システム情報に含まれる各ＲＡＣＨリソースは、以下のパラメータ、すなわち、
−周波数リソース、
−時間リソース、
−符号分割多重のためのコードワード・リソース、および
−反復レベル、
のうちの１つまたは複数によって定義される、請求項１に記載の方法。
【請求項４】
前記システム情報は、前記第２のメッセージの前記復号候補セット、および／または、前記第４のメッセージの前記復号候補セット、における第１の候補のインジケーションのみを備える、請求項２に記載の方法。
【請求項５】
前記第２のメッセージの前記復号候補セット、および／または、前記第４のメッセージの前記復号候補セット、における候補は、物理リソース・オフセットによって示され、前記物理リソース・オフセットは、周波数および／または時間におけるオフセットであり、
前記物理リソース・オフセットは、少なくとも、以下のオフセット、すなわち、
−ＲＡＣＨリソースに対するオフセット、
−前記第２のメッセージの前記復号候補セットに対するオフセット、および
−前記第２のワイヤレス・リソース・ブロックに対するオフセット、
のうちの１つを少なくとも備える、請求項２に記載の方法。
【請求項６】
前記第２のメッセージに含まれる前記第４のメッセージの送信に関する前記情報は、前記第４のメッセージの復号候補セットを備えているか、または、前記システム情報に含まれる前記第４のメッセージの前記復号候補セットにおける候補を示すインデクスを備えている、請求項２に記載の方法。
【請求項７】
前記第１のメッセージ、第２のメッセージ、第３のメッセージ、および第４のメッセージ、およびその前に生じる別のメッセージ、のうちの１つまたは複数の間に、あらかじめ決定された時間インタバルが存在する、請求項１に記載の方法。
【請求項８】
前記第２のメッセージおよび／または前記第４のメッセージは、物理ダウンリンク制御チャネル（ＰＤＣＣＨ）で送信され、前記第２のワイヤレス・リソース・ブロックおよび／または前記第４のワイヤレス・リソース・ブロックは、ＰＤＣＣＨリソース・ブロックに対応するか、または、
前記第２のメッセージおよび／または前記第４のメッセージは、エボルブド物理ダウンリンク制御チャネル（ｅＰＤＣＣＨ）で送信され、前記第２のワイヤレス・リソース・ブロックおよび／または前記第４のワイヤレス・リソース・ブロックは、ｅＰＤＣＣＨリソース・ブロックに対応するか、または、
前記第２のメッセージおよび／または前記第４のメッセージは、物理ダウンリンク共有チャネル（ＰＤＳＣＨ）で送信され、前記第２のワイヤレス・リソース・ブロックおよび／または前記第４のワイヤレス・リソース・ブロックは、ＰＤＳＣＨリソース・ブロックに対応する、請求項１乃至７のいずれか１項に記載の方法。
【請求項９】
ワイヤレス通信ネットワークにおけるランダム・アクセス手順のための方法であって、
第２のメッセージの送信に関する情報を備えているか、または、前記第２のメッセージの送信に関する情報と第４のメッセージの送信に関する情報との両方を備えている、システム情報を受信するステップと、
第１のワイヤレス・リソース・ブロックで、基地局へ第１のメッセージを送信するステップと、
前記第２のメッセージの送信に関する情報に従って、第２のワイヤレス・リソース・ブロックで、前記基地局から前記第２のメッセージを受信するステップであって、前記第２のメッセージは、第３のメッセージの送信に関する情報を備えているか、または、前記第３のメッセージの送信に関する情報と第４のメッセージの送信に関する情報との両方を備えている、ステップと、
前記第３のメッセージの送信に関する情報に従って、第３のワイヤレス・リソース・ブロックで、前記基地局へ前記第３のメッセージを送信するステップと、
前記システム情報に含まれる前記第４のメッセージの送信に関する前記情報、および／または、前記第２のメッセージに含まれる前記第４のメッセージの送信に関する前記情報に従って、第４のワイヤレス・リソース・ブロックで、前記基地局から前記第４のメッセージを受信するステップと、
を備える方法。
【請求項１０】
前記第２のメッセージの送信に関する前記情報と、前記システム情報に含まれる前記第４のメッセージの送信に関する前記情報とはそれぞれ、前記第２のメッセージの復号候補セットと、前記第４のメッセージの復号候補セットとを備え、前記第２のメッセージの前記復号候補セットと、前記第４のメッセージの前記復号候補セットと、における各候補は、以下の情報、すなわち、
−使用された物理リソースのサイズを示すための情報、
−前記使用された物理リソースの場所を示すための情報であって、前記物理リソースの前記場所情報は、時間と周波数の情報を備える、情報
−使用された変調コーディング・フォーマットを示すための情報、
−使用された反復数を示すための情報、および
−使用されたスクランブリング・コードを示すための情報、
のうちの少なくとも１つのアイテムによって記述される、請求項９に記載の方法。
【請求項１１】
前記第２のメッセージの送信に関する前記情報、および／または、前記第４のメッセージの送信に関する前記情報は、
各ＲＡＣＨリソースが、前記第２のメッセージの送信に関する対応する情報にマップされるか、および／または、前記第４のメッセージの送信に関する対応する情報にマップされるように、前記システム情報に含まれる各ＲＡＣＨリソースのためのマッピング基準を定義することによって前記システム情報に含められ、
前記システム情報に含まれる各ＲＡＣＨリソースは、以下のパラメータ、すなわち、
−周波数リソース、
−時間リソース、
−符号分割多重のためのコードワード・リソース、および
−反復レベル、
のうちの１つまたは複数によって定義される、請求項９に記載の方法。
【請求項１２】
前記システム情報は、前記第２のメッセージの前記復号候補セット、および／または、前記第４のメッセージの前記復号候補セット、における第１の候補のインジケーションのみを備える、請求項１０に記載の方法。
【請求項１３】
前記第２のメッセージの前記復号候補セット、および／または、前記第４のメッセージの前記復号候補セット、における候補は、物理リソース・オフセットによって示され、前記物理リソース・オフセットは、周波数および／または時間におけるオフセットであり、
前記物理リソース・オフセットは、以下のオフセット、すなわち、
−ＲＡＣＨリソースに対するオフセット、
−前記第２のメッセージの前記復号候補セットに対するオフセット、および
−前記第２のワイヤレス・リソース・ブロックに対するオフセット、
のうちの１つを少なくとも備える、請求項１０乃至１２のいずれか１項に記載の方法。
【請求項１４】
ワイヤレス通信ネットワークにおいてランダム・アクセス手順を実行するための装置であって、
第２のメッセージの送信に関する情報を備えているか、または、前記第２のメッセージの送信に関する情報と第４のメッセージの送信に関する情報との両方を備えている、システム情報を送信するための第１の送信モジュールと、
第１のワイヤレス・リソース・ブロックで、端末から送信された第１のメッセージを受信するための第１の受信モジュールと、
前記第２のメッセージの送信に関する前記情報に従って、第２のワイヤレス・リソース・ブロックで、前記端末へ前記第２のメッセージを送信するための第２の送信モジュールであって、前記第２のメッセージは、第３のメッセージの送信に関する情報を備えているか、または、第３のメッセージの送信に関する情報と前記第４のメッセージの送信に関する情報との両方を備えている、第２の送信モジュールと、
前記第３のメッセージの送信に関する前記情報に従って、前記第３のワイヤレス・リソース・ブロックで、前記端末から送信された前記第３のメッセージを受信するための第２の受信モジュールと、
前記システム情報に含まれる前記第４のメッセージの送信に関する前記情報、および／または、前記第２のメッセージに含まれる前記第４のメッセージの送信に関する前記情報に従って、第４のワイヤレス・リソース・ブロックで、前記端末へ前記第４のメッセージを送信するための第３の送信モジュールと、
を備える装置。
【請求項１５】
ワイヤレス通信ネットワークにおいてランダム・アクセス手順を実行するための装置であって、
第２のメッセージの送信に関する情報を備えているか、または、前記第２のメッセージの送信に関する情報と第４のメッセージの送信に関する情報との両方を備えている、システム情報を受信するための第１の受信モジュールと、
第１のワイヤレス・リソース・ブロックで、前記基地局へ第１のメッセージを送信するための第１の送信モジュールと、
前記第２のメッセージの送信に関する前記情報に従って、第２のワイヤレス・リソース・ブロックで、前記基地局から前記第２のメッセージを受信するための第２の受信モジュールであって、前記第２のメッセージは、第３のメッセージの送信に関する情報を備えているか、または、前記第３のメッセージの送信に関する情報と前記第４の送信に関する情報との両方を備えている、第２の受信モジュールと、
前記第３のメッセージの送信に関する前記情報に従って、第３のワイヤレス・リソース・ブロックで、前記第３のメッセージを送信するための第２の送信モジュールと、
前記システム情報に含まれる前記第４のメッセージの送信に関する前記情報、および／または、前記第２のメッセージに含まれる前記第４のメッセージの送信に関する前記情報に従って、第４のワイヤレス・リソース・ブロックで、前記基地局から前記第４のメッセージを受信するための第３の受信モジュールと、
を備える装置。
【発明の詳細な説明】
【技術分野】
【０００１】
本開示の実施形態は、ワイヤレス・ネットワークにおける端末のランダム・アクセス手順に関し、特に、ランダム・アクセス手順を改善するための方法および装置に関する。
【背景技術】
【０００２】
ＡＭａｃｈｉｎｅタイプ通信（ＭＴＣ）デバイスは、特定のアプリケーションのためにマシンによって使用されるユーザ端末（ＵＥ）である。そのようなＭＴＣデバイスの一例は、スマート・メータである。これらのスマート・メータのうちのいくつかは、地下室に配置されており、高い侵入損失を被り、したがって、ＭＴＣデバイスがネットワークと通信することは困難である。この状況の観点では、いくつかの標準化団体が、そのようなＭＴＣデバイスの通信を保証するための技術仕様を立案している。たとえば、３ＧＰＰでは、新たなワーク・アイテム、すなわち、「低価格ＭＴＣ  ＵＥカバレッジ拡張」のワーク・アイテムが承認された。カバレッジ拡張態様に関するこの研究は、そのようなＭＴＣ  ＵＥ（たとえば、地下室に配置されたＭＴＣ  ＵＥ）のカバレッジを１５ｄＢ拡張することを目的としている。これらＵＥは、本明細書ではカバレッジ拡張ＭＴＣ  ＵＥ（ＣＥ−ＭＴＣ  ＵＥ）と称される。
【０００３】
カバレッジ拡張に関する研究の間、たとえば、３ＧＰＰにおけるこのトピックの研究アイテム・フェーズの間、反復が、ＣＥ−ＭＴＣ  ＵＥカバレッジ問題を解決するための主な方法であることが認識される。（１００秒において）必要とされる反復の量は相当なものであり、これは、スペクトル効率への著しい低下に至る。したがって、最悪の無線条件のＣＥ−ＭＴＣ  ＵＥをターゲットとする単一の反復レベルを有することと比較して、異なるカバレッジ・レベルにおいて、ＣＥ−ＭＴＣ  ＵＥのためのいくつかの反復レベルを設定することが、よりスペクトル効率的に優れている。
【０００４】
ＣＥ−ＭＴＣ  ＵＥの場合、上述した反復の方法は、ランダム・アクセス（ＲＡＣＨ）手順を含む、様々なデータおよびメッセージの送信手順に適用される必要があることが認識されるべきである。ランダム・アクセス手順は、以下のメッセージ交換からなる。
１）アップリンクにおけるプリアンブル送信（メッセージ１）
２）ダウンリンクにおけるランダム・アクセス応答（ＲＡＲ）（メッセージ２）
３）アップリンクにおけるメッセージ３（たとえば、ＲＲＣ接続要求）
４）ダウンリンクにおけるメッセージ４（競合解決メッセージ）。
【０００５】
現在の３ＧＰＰ  ＬＴＥ技術仕様では、物理ダウンリンク制御チャネル（ＰＤＣＣＨ）が、ＲＡＲおよびメッセージ４のためのリソース割当を示すために使用され、ＵＥが、ＲＡＲおよびメッセージ４のためのリソース割当情報を取得するために、ＲＡ−ＲＮＴＩおよびＣ−ＲＮＴＩそれぞれによってＰＤＣＣＨをモニタし、その後、示されたリソースにおいて、ＲＡＲおよびメッセージ４の内容をモニタする。ＰＤＣＣＨもまた、高い侵入損失を被るので、ＵＥがＰＤＣＣＨを正しく検出できるように、多くの反復も必要となり得る。これは、ＰＤＣＣＨを使用することによってＲＡＲおよびメッセージ４をスケジューリングする現在のランダム・アクセス方法を、リソース効率的にしない。
【０００６】
その間、ＰＤＣＣＨはまた、通常のＵＥ（非ＣＥ−ＭＴＣ  ＵＥ）によってもモニタされる共通情報を伝送するために使用されるので、共通情報を伝送するＰＤＣＣＨへ反復が適用されるのであれば、通常のＵＥの動作は、影響を受けるであろう。
【０００７】
上記問題に基づいて、ＰＤＣＣＨスケジューリング無しでランダム・アクセスを達成するためにランダム・アクセス手順を改善し、したがって、リソース効率を改善することが所望される。
【発明の概要】
【０００８】
上述したように、ＰＤＣＣＨを使用することによってＲＡＲおよびメッセージ４をスケジューリングする現在のランダム・アクセス方法は、リソース効率的ではないので、スケジューリングのためのＰＤＣＣＨの送信が、ランダム・アクセス手順から省略され得るのであれば、リソース効率が改善され、システム複雑さが低減され得る。しかしながら、現在の先行技術では、ＰＤＣＣＨスケジューリング無しでどのようにしてランダム・アクセス手順を実施するのかに関する詳細はない。本開示に従う実施形態は、ＰＤＣＣＨスケジューリング無しでランダム・アクセスを実施し、上述した問題を解決するために、ランダム・アクセス手順を改善するための方法および装置を提供することを目的とする。
【０００９】
本開示の１つの態様に従って、基地局において、ワイヤレス通信ネットワークにおけるランダム・アクセス手順のための方法が提供され、ランダム・アクセス手順は、第１のメッセージ、第２のメッセージ、第３のメッセージ、および第４のメッセージを含み、この方法は、
第２のメッセージの送信に関する情報を備えるか、または、第２のメッセージの送信に関する情報と第４のメッセージの送信に関する情報との両方を備える、システム情報を送信するステップと、
第１のワイヤレス・リソース・ブロックで送信された第１のメッセージを、端末から受信するステップと、
第２のメッセージの送信に関する情報に従って、第２のワイヤレス・リソース・ブロックで、第２のメッセージを端末へ送信するステップであって、第２のメッセージは、第３のメッセージの送信に関する情報を備えるか、または、第３のメッセージの送信に関する情報と第４のメッセージの送信に関する情報との両方を備える、ステップと、
第３のメッセージの送信に関する情報に従って、第３のワイヤレス・リソース・ブロックで送信された第３のメッセージを、端末から受信するステップと、
システム情報に含まれる第４のメッセージの送信に関する情報、および／または、第２のメッセージに含まれる第４のメッセージの送信に関する情報に従って、第４のワイヤレス・リソース・ブロックで、端末へ第４のメッセージを送信するステップと、を備える。
【００１０】
この方法の実施形態において、システム情報に含まれる第２のメッセージの送信に関する情報と、第４のメッセージの送信に関する情報とはそれぞれ、第２のメッセージの復号候補セットと、第４のメッセージの復号候補セットとを備え、第２のメッセージの復号候補セットと、第４のメッセージの復号候補セットとにおける各候補は、以下の情報のうちの少なくとも１つのアイテムによって記述される。
−使用された物理リソースのサイズを示すための情報、
−使用された物理リソースの場所を示すための情報であって、物理リソースの場所情報は、時間と周波数の情報を備える、情報、
−使用された変調コーディング・フォーマットを示すための情報、
−使用された反復数を示すための情報、
−使用されたスクランブリング・コードを示すための情報。
【００１１】
この方法の別の実施形態において、第２のメッセージの送信に関する情報、および／または、第４のメッセージの送信に関する情報は、以下の手法でシステム情報に含まれ得る。
システム情報に含まれる各ＲＡＣＨリソースが、第２のメッセージの送信に関する対応する情報にマップされ、および／または、第４のメッセージの送信に関する対応する情報にマップされるように、各ＲＡＣＨリソースのためのマッピング基準を定義する。
【００１２】
その間、本方法のいくつかの実施形態に従って、システム情報に含まれる各ＲＡＣＨリソースは、以下のパラメータのうちの１つまたは複数によって定義される。
−周波数リソース、
−時間リソース、
−符号分割多重のためのコードワード・リソース、および
−反復レベル。
【００１３】
いくつかのオプションの実施形態において、異なるＲＡＣＨリソースがマップされる、第２のメッセージの送信に関する情報、 および／または、第４のメッセージの送信に関する情報は、マッピング基準に従って、少なくとも部分的にオーバラップする。
【００１４】
本方法のさらなる実施形態に従って、システム情報は、第２のメッセージの復号候補セット、および／または、第４のメッセージの復号候補セットにおける第１の候補のインジケーションのみを備え、他の候補のインジケーションは、あらかじめ決定された基準に従って、第１の候補のインジケーションに基づいて導出され得る。
【００１５】
さらなる実施形態に従って、第２のメッセージの復号候補セット、および／または、第４のメッセージの復号候補セットにおける候補は、物理リソース・オフセットによって示される。ここで、物理リソース・オフセットは、周波数および／または時間におけるオフセットである。
【００１６】
いくつかのさらなる実施形態において、物理リソース・オフセットは、少なくとも、以下のオフセットのうちの１つを備える。
−ＲＡＣＨリソースに対するオフセット、および
−第２のワイヤレス・リソース・ブロックに対するオフセット。
【００１７】
本方法の他のいくつかの実施形態において、第２のメッセージに含まれる第４のメッセージの送信に関する情報の例は、第４のメッセージの復号候補セットであり、別の例は、システム情報に含まれる第４のメッセージの復号候補セットにおける１つの候補を示すインデクスである。
【００１８】
いくつかの実施形態において、第１のメッセージ、第２のメッセージ、第３のメッセージ、および第４のメッセージ、およびその前に生じる別のメッセージ、のうちの１つまたは複数の間に、あらかじめ決定された時間インタバルが存在する。さらに、いくつかの実施形態に従って、異なるメッセージのあらかじめ決定された時間インタバルが変動し得る。他のいくつかの実施形態において、あらかじめ決定された時間インタバルは、各メッセージに対して同じである。いくつかの実施形態に従って、あらかじめ決定された時間インタバルは、システム情報に含まれるか、または、技術仕様によって定義される。
【００１９】
本方法の実施形態において、第２のメッセージおよび／または第４のメッセージは、物理ダウンリンク制御チャネル（ＰＤＣＣＨ）、エボルブド物理ダウンリンク制御チャネル（ｅＰＤＣＣＨ）、または物理ダウンリンク共有チャネル（ＰＤＳＣＨ）で送信され、第２のワイヤレス・リソース・ブロックおよび第４のワイヤレス・リソース・ブロックはそれぞれ、ＰＤＣＣＨのためのリソース・ブロック、またはｅＰＤＣＣＨのためのリソース・ブロックまたはＰＤＳＣＨのためのリソース・ブロックに対応する。
【００２０】
本開示の別の態様に従って、ＵＥ側でのワイヤレス通信ネットワークにおけるランダム・アクセス手順のための方法が提供され、ランダム・アクセス手順は、第１のメッセージ、第２のメッセージ、第３のメッセージ、および第４のメッセージを含み、この方法は、
第２のメッセージの送信に関する情報を備えているか、または、第２のメッセージの送信に関する情報と第４のメッセージの送信に関する情報との両方を備えている、システム情報を受信するステップと、
第１のワイヤレス・リソース・ブロックで、基地局へ第１のメッセージを送信するステップと、
第２のメッセージの送信に関する情報に従って、第２のワイヤレス・リソース・ブロックで、基地局から第２のメッセージを受信するステップであって、第２のメッセージは、第３のメッセージの送信に関する情報を備えているか、または、第３のメッセージの送信に関する情報と第４のメッセージの送信に関する情報との両方を備えている、ステップと、
第３のメッセージの送信に関する情報に従って、第３のワイヤレス・リソース・ブロックで、基地局へ第３のメッセージを送信するステップと、
システム情報に含まれている、および／または、第２のメッセージに含まれている、第４のメッセージの送信に関する情報に従って、第４のワイヤレス・リソース・ブロックで、基地局から第４のメッセージを受信するステップと、を備える。
【００２１】
本開示の第３の態様は、ワイヤレス通信ネットワークにおいてランダム・アクセス手順を実行するための装置に関し、この装置は、
第２のメッセージの送信に関する情報を備えているか、または、第２のメッセージの送信に関する情報と第４のメッセージの送信に関する情報との両方を備えている、システム情報を送信するための第１の送信モジュールと、
第１のワイヤレス・リソース・ブロックで、端末から送信された第１のメッセージを受信するための第１の受信モジュールと、
第２のメッセージの送信に関する情報に従って、第２のワイヤレス・リソース・ブロックで、端末へ第２のメッセージを送信するための第２の送信モジュールであって、第２のメッセージは、第３のメッセージの送信に関する情報を備えているか、または、第３のメッセージの送信に関する情報と第４の送信に関する情報との両方を備えている、第２の送信モジュールと、
第３のメッセージの送信に関する情報に従って、第３のワイヤレス・リソース・ブロックで、端末から送信された第３のメッセージを受信するための第２の受信モジュールと、
システム情報に含まれる第４のメッセージの送信に関する情報、および／または、第２のメッセージに含まれる第４のメッセージの送信に関する情報に従って、第４のワイヤレス・リソース・ブロックで、端末へ第４のメッセージを送信するための第３の送信モジュールと、を備える。
【００２２】
本開示の第４の態様は、ワイヤレス通信ネットワークにおいてランダム・アクセス手順を実行するための別の装置であり、この装置は、
第２のメッセージの送信に関する情報を備えているか、または、第２のメッセージの送信に関する情報と第４のメッセージの送信に関する情報との両方を備えている、システム情報を受信するための第１の受信モジュールと、
第１のワイヤレス・リソース・ブロックで、基地局へ第１のメッセージを送信するための第１の送信モジュールと、
第２のメッセージの送信に関する情報に従って、第２のワイヤレス・リソース・ブロックで、基地局から第２のメッセージを受信するための第２の受信モジュールであって、第２のメッセージは、第３のメッセージの送信に関する情報を備えているか、または、第３のメッセージの送信に関する情報と第４のメッセージの送信に関する情報との両方を備えている、第２の受信モジュールと、
第３のメッセージの送信に関する情報に従って、第３のワイヤレス・リソース・ブロックで、第３のメッセージを送信するための第２の送信モジュールと、
システム情報に含まれる第４のメッセージの送信に関する情報、および／または、第２のメッセージに含まれる第４のメッセージの送信に関する情報に従って、第４のワイヤレス・リソース・ブロックで、基地局から第４のメッセージを受信するための第３の受信モジュールと、を備える。
【００２３】
本開示のいくつかの実施形態に従って、本開示は、ＰＤＣＣＨスケジューリング無しでランダム・アクセスを達成するためにランダム・アクセス手順を改善し、したがって、リソース効率を改善し得る。
【００２４】
本開示の実施形態に従う方法および／または装置のいくつかの実施形態は、単なる例によって、図面を参照して、以下に記述される。
【図面の簡単な説明】
【００２５】
【図１】本開示に従って、実施形態において、ランダム・アクセス手順中の端末と基地局との間でのメッセージ交換の概要図である。
【図２ａ】実施形態に従う基地局における典型的な方法のフローチャートである。
【図２ｂ】実施形態に従うＵＥにおける典型的な方法のフローチャートである。
【図３】実施形態に従って図２ａおよび図２ｂにおいて図示されるステップに対応する時間シーケンスの概要図である。
【図４】オフセットの形式で示されたＲＡＲリソース候補セットの概要図である。
【図５】オフセットの形式で示された第４のメッセージのためのリソース候補セットの概要図である。
【図６】オフセットを使用することにより候補リソースを示す別の例を例示する図である。
【図７】本開示の実施形態に従って図２ａの方法を実行するための基地局の概要図である。
【図８】本開示の実施形態に従って図２ｂの方法を実行するためのＵＥの概要図である。
【発明を実施するための形態】
【００２６】
当業者に周知であるいくつかの機能または構成は、不必要な詳細において本開示の実施形態を不明瞭にすることを阻止するために、以下の記述において省略される。
【００２７】
本開示の実施形態は、ワイヤレス・ネットワークにおけるランダム・アクセス手順に対する改善に関し、貧弱なカバレッジ・パフォーマンスを有する端末のリソース効率を改善し、システムの実施複雑さを低減することが意図されている。
【００２８】
本開示の態様は、非限定的な特定の例を参照して記述されるであろう。当業者であれば、本開示は、本明細書に開示された例に限定されず、より広範に適用され得ることを理解するであろう。その上、本開示およびその実施形態の以下の記述は、特定の典型的なネットワーク構成および配備のみのためであり、主に、非限定的な例として特定の技術仕様を参照して記述されていることが認識されるべきである。具体的には、本開示およびその実施形態は、典型的なネットワーク構成および配備のための非限定的な例として、主に３ＧＰＰ技術仕様を描いている。特に、本明細書に記述された典型的な例を活用する非限定的な通信システムの例として、ＬＴＥ／ＬＴＥ−Ａ通信システムが使用される。したがって、本明細書に提示された典型的な例の描写は、主として、ＬＴＥ／ＬＴＥ−Ａにおける技術用語を引用している。これらの技術用語は、本明細書に提示された非限定的な例のコンテキストにおいてのみ使用され、したがって、本開示を限定することは意図されていない。一方、他の任意のネットワーク構成およびシステム配備は、本明細書に述べられた特徴と矛盾しない限り使用され得る。
【００２９】
以下の記述では、本開示の様々な実施形態および実施態様を記述するために、いくつかの代替方法が使用される。これらの代替解決手段のすべては、いくつかの要求および制限に従って、個別に、または、任意の可能な組合せで提供され得ることが理解され得る。
【００３０】
図１は、ランダム・アクセス手順中の、端末と基地局との間でのメッセージ交換の概要図である。ランダム・アクセス手順を開始する前に、ＵＥは先ず、ダウンリク同期を得るために、基地局からの同期信号（図１に図示せず）をモニタし、次に、システム情報を含むブロードキャスト信号を受信することが注目される。この手順は、図１において１００によって図示されている。システム情報は、ランダム・アクセス・リソース（本明細書ではＲＡＣＨリソースとして称される）の割当に関する情報、すなわち、ＲＡＣＨプリアンブル信号（本明細書では、第１のメッセージまたはメッセージ１と呼ばれる）を送信するためのリソース、を含む。このリソースは、時間、周波数、およびプリアンブル信号シーケンスのコードワードとともに記述され得る。いくつかの実施形態において、ＲＡＣＨリソース割当に関する情報はさらに、たとえば、カバレッジ拡張を必要とするＭＴＣ  ＵＥ（ＣＥ−ＭＴＣ  ＵＥ）のための利用可能な反復数または反復レベルのインジケーションのような、ＣＥ−ＭＴＣ  ＵＥのための特定のＲＡＣＨリソース・インジケーションを備え得る。ＲＡＣＨリソース割当に関する情報は、どこからＲＡＣＨプリアンブル信号が送られるのかを決定するため、および／または、ＲＡＣＨプリアンブル信号の送信フォーマットを決定するために、ステップ１０１において端末によって使用されるであろう。
【００３１】
他のいくつかの実施形態において、システム情報はさらに、第２のメッセージ（ＲＡＲ、本明細書では、Ｍｓｇ２とも呼ばれる）の送信に関する情報を備えるか、または、第２のメッセージの送信に関する情報と、第４のメッセージ（Ｍｓｇ４とも呼ばれる）の送信に関する情報との両方、たとえば、ＵＥから見られるような、Ｍｓｇ２および／またはＭｓｇ４の復号候補セットでもあるＭｓｇ２および／またはＭｓｇ４の送信候補セット、を備える。Ｍｓｇ２および／またはＭｓｇ４の復号候補セットにおける各候補は、以下の情報の１つまたは複数のアイテムによって示され得る。
−周波数および時間の情報を含む候補リソースの場所、
−候補リソースのサイズ、
−対応するメッセージの変調コーディング・フォーマット、
−対応するメッセージの反復数または反復レベル、および
−対応するメッセージのスクランブリング・コード。
【００３２】
インジケーション情報は、受信時におけるブラインド復号の数および複雑さを低減する際にＵＥを支援するであろう。
【００３３】
いくつかの実施形態において、Ｍｓｇ２および／またはＭｓｇ４の復号候補セットは、明示的な方式で示され得る。たとえば、絶対的なリソース場所が、ＬＴＥ  ＰＤＣＣＨにおいて、ダウンリンク制御情報（ＤＣＩ）におけるリソース割当によって使用されるインジケーション・フォーマットによって示される。
【００３４】
他のいくつかの実施形態において、Ｍｓｇ２および／またはＭｓｇ４の復号候補セットは、物理リソース・オフセットの方式で示され得る。たとえば、ＲＡＣＨリソースに対する候補リソースのオフセットが示される。別の例として、ＲＡＣＨリソースに対するオフセットは、Ｍｓｇ２の復号候補セットを示すために使用され得る。そして、Ｍｓｇ２の復号候補セットに対するオフセットは、Ｍｓｇ４の復号候補セットを示すために使用され得る。これらの例において、オフセットは、周波数および／または時間におけるオフセットであり得る。
【００３５】
他のいくつかの実施形態において、Ｍｓｇ２および／またはＭｓｇ４について、複数の復号候補が存在する場合、それらのうちの１つだけ、たとえば、候補セットにおける第１の候補の情報のみが示され、残りの候補の情報は、あらかじめ定義されたルールによって導出され得る。
【００３６】
さらなる実施形態において、第２のメッセージの送信に関する情報と、システム情報に含まれる第４のメッセージの送信に関する情報とは、あらかじめ決定されたマッピング関係によって暗黙的に示され、たとえば、システム情報は、ＲＡＣＨリソース（時間、周波数、プリアンブル信号シーケンスのコードワード、反復レベル）のみを明示的に示し、その間、マッピング関係が定義され、これによって、各ＲＡＣＨリソースは、Ｍｓｇ２の１つの復号候補セットに対応するようになるか、または、Ｍｓｇ２の復号候補セットと、Ｍｓｇ４の復号候補セットとの両方に対応するようになる。異なるＲＡＣＨリソースに対応する復号候補セットがオーバラップし、たとえば、極端なケースでは、異なるＲＡＣＨリソースに対応する復号候補セットは、完全に同じになり、たとえば、すべてのＲＡＣＨリソースが、同じ復号候補セットに対応することが注目されるべきである。
【００３７】
明示的または暗黙的に示される情報は、Ｍｓｇ２およびＭｓｇ４の送信リソースおよび／または送信フォーマットおよび／またはスクランブリング・コードの決定を容易にするために、ステップ１０２およびステップ１０４それぞれにおいて端末によって使用される。
【００３８】
ＲＡＣＨリソースに関する情報が検出された後、必要な場合、たとえば、送信されるべきアップリンク・データが存在する場合、端末は、１０１においてＲＡＣＨプリアンブル信号を送信し、したがって、ランダム・アクセス手順を開始する。プリアンブル信号は、本明細書では、第１のメッセージとも呼ばれる。１００を参照して上述したように、第１のメッセージの送信のために使用されるリソース（たとえば、時間、周波数、プリアンブル信号シーケンスのコードワード、および反復レベル）は、受信したシステム情報に従って、端末によって決定される。たとえば、リソースが、ＲＡＣＨプリアンブル信号を送信するためのシステム情報によって示される利用可能なＲＡＣＨリソースからランダムに選択されるか、または、いくつかの実施形態では、システム情報によって示されるＣＥ−ＭＴＣ  ＵＥのＲＡＣＨリソースからランダムに選択される。いくつかの実施形態において、ＵＥは、それ自身の測定結果と、システム情報におけるＲＡＣＨリソースのインジケーションとに従って、適切なＲＡＣＨリソースを選択し得る。
【００３９】
このメッセージが基地局に到着し、正しく検出された後、これに応答して、基地局は、ステップ１０２において、端末へ第２のメッセージ（ＲＡＲ、Ｍｓｇ２とも呼ばれる）を送信する。１００を参照して上述したように、第２のメッセージの送信のために使用されるリソースおよび／または送信フォーマット（たとえば、変調コーディング・フォーマット、反復数）が、システム情報に含まれる第２のメッセージの送信に関する情報、たとえば、第２のメッセージの復号候補セット、に従って決定される。いくつかの実施形態に従って、第２のメッセージの送信において使用されるスクランブリング・コードはまた、システム情報に含まれる第２のメッセージの送信に関する情報に従って決定され得る。したがって、ＵＥは、検出する場合にのみ、対応するスクランブリング・コードを検出し、したがって、すべてのＲＡＲコンテンツに関する不必要な検出および復号を回避する。
【００４０】
第２のメッセージ（ＲＡＲ）を送信するために使用されるリソースは、物理ダウンリンク制御チャネル（ＰＤＣＣＨ）リソース、エボルブドＰＤＣＣＨリソース、またはＰＤＳＣＨリソースであり得る。
【００４１】
さらに、このケースでは、第２のメッセージの復号候補セットにおける候補はそれぞれ、ＰＤＣＣＨ候補リソース、ｅＰＤＣＣＨ候補リソース、およびＰＤＳＣＨ候補リソースである。送信のためにＰＤＣＣＨリソースを使用する利点は、ＲＡ−ＲＮＴＩおよびＰＤＣＣＨサーチ空間の再使用を可能にすることである。この方法はＰＤＣＣＨリソースを使用するが、スケジューリング情報以外のＲＡＲを送信するので、それに同伴するＰＤＳＣＨは送信されないであろうことが注目されるべきである。ｅＰＤＣＣＨリソースが送信のために使用される場合、そのリソースは、ｅＰＤＣＣＨ物理リソース・ブロック・セット（ｅＰＤＣＣＨ  ＰＲＢセット）、スクランブリング・コード等によって定義されるであろう。これは、ブラインド検出のために他のサーチ空間を定義する必要なく、ｅＰＤＣＣＨを検出するために現在のサーチ空間方法の再使用を可能にする。同様に、このケースにおいてｅＰＤＣＣＨにおいて送信されるものは、スケジューリング情報ではないので、その後同伴するＰＤＳＣＨ送信はない。ＰＤＳＣＨリソースが送信のために使用される場合、それは、ＰＤＳＣＨがＰＤＣＣＨスケジューリングを必要としないという点において通常のＰＤＳＣＨ送信とは異なる。
【００４２】
いくつかの実施形態において、第２のメッセージの送信と、第１のメッセージの送信／受信との間に、あらかじめ決定された時間インタバルが存在する。すなわち、基地局は、第１のメッセージの受信後、あらかじめ決定された時間インタバルの遅れの後に第２のメッセージを送信し、ＵＥは、あらかじめ決定された時間インタバルに従って、適切な時間ポイントにおいて第２のメッセージを受信する。いくつかの実施形態において、あらかじめ決定された時間インタバル情報が、規格において定義される一方、他のいくつかの実施形態において、あらかじめ決定された時間インタバルが、システム情報によってＵＥへ通知される。ＵＥは、あらかじめ決定された時間インタバルを活用して、第２のメッセージのブラインド検出数を低減し、したがって、電力を節約し得る。
【００４３】
いくつかの実施形態に従って、送信された第２の情報は、第３のメッセージの送信に関する情報を備えているか、または、第３のメッセージの送信に関する情報と、第４のメッセージの送信に関する情報との両方、たとえば、送信リソースおよび／または送信フォーマットのインジケーションを備えている。実施形態に従って、第４のメッセージの送信に関する情報は、システム情報に含まれるＭｓｇ４の復号候補セットにおける１つの候補に関するインデクス値であり得る。
【００４４】
第２のメッセージを正しく受信した後、ＵＥは、第２のメッセージにおけるインジケーションに従って、第３のメッセージの送信リソースおよび／またはフォーマット、たとえば、第３のメッセージの送信リソースおよび／または送信フォーマットに関するインジケーションを決定し、１０３において、基地局へ第３のメッセージを送信する。いくつかの実施形態において、第３のメッセージの送信と、第２のメッセージの送信／受信との間に、あらかじめ決定された時間インタバルが存在し、すなわち、ＵＥは、第２のメッセージの受信後、あらかじめ決定された時間インタバルの遅れの後に第３のメッセージを送信し、基地局は、あらかじめ決定された時間インタバルに従って、適切な時間ポイントにおいて第３のメッセージを受信する。いくつかの実施形態において、あらかじめ決定された時間インタバルの情報が、規格において定義される一方、他のいくつかの実施形態では、あらかじめ決定された時間インタバルが、システム情報によってＵＥへ通知される。
【００４５】
いくつかの実施形態において、第３のメッセージの送信と、第４のメッセージの送信との間にも、あらかじめ決定された時間インタバルが存在し、すなわち、基地局が、第３のメッセージの受信後、あらかじめ決定された時間インタバルの遅れの後にステップ１０４においてＵＥへ第４のメッセージを送信し、ＵＥは、あらかじめ決定された時間インタバルに従って、適切な時間ポイントにおいて第４のメッセージを受信する。いくつかの実施形態において、あらかじめ決定された時間インタバル情報が、規格において定義される一方、他のいくつかの実施形態では、あらかじめ決定された時間インタバルが、システム情報によってＵＥへ通知される。あらかじめ決定された時間インタバルは、第１のメッセージと第２のメッセージとの間の上記あらかじめ決定された時間インタバルと、第２のメッセージと第３のメッセージとの間の上記あらかじめ決定された時間インタバルと、同一であり得るか、異なり得る。
【００４６】
上述したように、第４のメッセージの送信のために使用されるリソースおよび／または送信フォーマットは、システム情報に含まれるメッセージ４の送信に関する情報に従って、または、第２のメッセージに含まれる第４のメッセージの送信に関する情報に従って決定され得るか、または、両情報に従って決定され得る。たとえば、実施形態において、システム情報は、第４のメッセージの復号候補セットに関する情報を含んでおり、第２のメッセージはさらに、インデクス値を使用して、候補セットのうちのどの候補が、ＵＥの第４のメッセージの送信／復号のために使用されるべきであるかを示す。
【００４７】
第４のメッセージが正しく検出された後、ランダム・アクセス手順が終了し、第４のメッセージが正しく検出されない場合、後続するＨＡＲＱ再送信手順が存在し得る。そして、再送信の最大数に達した後、ＨＡＲＱ手順は失敗し、ＵＥは、後の期間において再度、新たなＨＡＲＱ手順を開始する必要がある。
【００４８】
本開示のいくつかの実施形態における改善されたランダム・アクセス手順が、図１を参照して上記要約された後、基地局およびＵＥにおいて本開示の方法を実施するための実施形態のフローチャートをそれぞれ示す図２ａおよび図２ｂが参照される。図２ａは、基地局における典型的な方法のフローチャートを例示し、図２ｂは、ＵＥにおける典型的な方法のフローチャートを例示する。
【００４９】
図２ａの典型的な実施形態において、基地局は先ず、ステップ２００においてシステム情報を送信する。システム情報は、定期的に送信され、システム情報は、第２のメッセージ（ＲＡＲ、本明細書ではＭｓｇ２と呼ばれる）の送信に関する情報を備えているか、または、第２のメッセージの送信に関する情報と、第４のメッセージ（Ｍｓｇ４と呼ばれる）の送信に関する情報との両方、たとえば、ＵＥから見られるような、Ｍｓｇ２および／またはＭｓｇ４の復号候補セットでもあるＭｓｇ２および／またはＭｓｇ４の送信候補セットを備えている。Ｍｓｇ２および／またはＭｓｇ４の復号候補セットにおける各候補は、以下の情報のうちの１つまたは複数のアイテムによって示され得る。
−周波数および時間の情報を含む候補リソースの場所、
−候補リソースのサイズ、
−対応するメッセージの変調コーディング・フォーマット、
−対応するメッセージの反復数または反復レベル、および
−対応するメッセージのスクランブリング・コード。
【００５０】
図１の描写において述べられるように、第２のメッセージの送信に関する情報と、第４のメッセージの送信に関する情報とが、明示的または暗黙的な方式で示され得る。明示的なインジケーションの例は、ＬＴＥ  ＰＤＣＣＨにおいて、ダウンリンク制御情報（ＤＣＩ）におけるリソース割当によって使用されるインジケーション・フォーマットを使用して絶対的なリソース場所を示す。他のいくつかの実施形態において、Ｍｓｇ２および／またはＭｓｇ４の復号候補セットは、物理リソース・オフセットの方式で示され、たとえば、ＲＡＣＨリソースに対する候補リソースのオフセットが示される。別の例として、ＲＡＣＨリソースに対するオフセットは、Ｍｓｇ２の復号候補セットを示すために使用され得る。また、Ｍｓｇ２の復号候補セットに対するオフセットが、Ｍｓｇ４の復号候補セットを示すために使用され得る。これらの例において、オフセットは、頻度および／または時間におけるオフセットであり得る。
【００５１】
他のいくつかの実施形態において、Ｍｓｇ２および／またはＭｓｇ４のための複数の復号候補が存在する場合、そのうちの１つのみが示され、たとえば、候補セットにおける第１の候補の情報のみが示される一方、残りの候補の情報は、あらかじめ定義されたルールによって取得され得る。
【００５２】
さらなる実施形態において、第２のメッセージの送信に関する情報と、システム情報に含まれる第４のメッセージの送信に関する情報とを暗黙的に示す例は、たとえば、システム情報が単にＲＡＣＨリソース（時間、周波数、プリアンブル信号シーケンスのコードワード、反復レベル）を明示的に示し、その間に、マッピング関係が定義され、これによって、各ＲＡＣＨリソースが、Ｍｓｇ２の１つの復号候補セットに対応するか、または、Ｍｓｇ２の１つの復号候補セットと、Ｍｓｇ４の１つの復号候補セットとの両方に対応するようになることである。異なるＲＡＣＨリソースに対応する復号候補セットがオーバラップし、たとえば、極端なケースでは、異なるＲＡＣＨリソースに対応する復号候補セットが完全に同じであり、たとえば、すべてのＲＡＣＨリソースが、同じ復号候補セットに対応することが注目されるべきである。
【００５３】
その後、ステップ２０１において、基地局は、端末からの第１のメッセージを検出する。第１のメッセージは、ＬＴＥにおけるＲＡＣＨプリアンブル信号に対応する。第１のメッセージを検出するためのワイヤレス・リソースは、システム情報に含まれるＲＡＣＨリソースに関する情報によって指定される。ＲＡＣＨリソースに関する情報は、時間、周波数、プリアンブル信号シーケンスのコードワード等のインジケーションであり得る。いくつかの実施形態において、ＲＡＣＨリソースに関する情報はさらに、カバレッジ拡張を必要とするＭＴＣ  ＵＥ（すなわち、ＣＥ−ＭＴＣ  ＵＥ）のための特定のＲＡＣＨリソースのインジケーション、たとえば、ＣＥ−ＭＴＣ  ＵＥの利用可能な反復数または反復レベルのインジケーション、を備え得る。ＲＡＣＨリソースに関する情報に基づいて、基地局は、どこでＲＡＣＨプリアンブル信号を受信するのかを決定する、および／または、ＲＡＣＨプリアンブル信号の送信フォーマットを決定する。システム情報で指定された多くの種類のＲＡＣＨリソースおよび送信フォーマットが存在するのであれば、基地局は、それぞれの可能なリソースにおいて可能なＲＡＣＨフォーマットをブラインド検出し、第１のワイヤレス・リソースで第１のメッセージを検出する。
【００５４】
この実施形態に従って、第１のメッセージの受信後、あらかじめ決定された時間インタバルｔ１遅れて、基地局は、ステップ２０２を実行する、すなわち、第２のメッセージ（ＲＡＲ）をＵＥへ送る。第２のメッセージは、第２のワイヤレス・リソースで実行される。ステップ２００を参照して上述したように、第２のワイヤレス・リソースは、システム情報によって明示的または暗黙的に示され得る。明示的または暗黙的なインジケーションの例は、ステップ２００に関する描写においてすでに提示されており、したがって、ここではさらに詳述されないであろう。
【００５５】
送信された第２の情報は、第３のメッセージの送信に関する情報を備えているか、または、第３のメッセージの送信に関する情報と、第４のメッセージの送信に関する情報との両方、たとえば、送信リソースおよび／または送信フォーマットのインジケーション、を備えている。実施形態に従って、第４のメッセージの送信に関する情報は、システム情報に含まれるＭｓｇ４の復号候補セットにおける１つの候補に関するインデクス値であり得る。
【００５６】
第２のメッセージを送った後、基地局は、あらかじめ決定された時間インタバルｔ２遅れた後、ステップ２０３において、ＵＥから第３のメッセージ（ＬＴＥにおけるメッセージ３に対応する、または、Ｍｓｇ３として示される）を受信する。第３のメッセージは、第３のワイヤレス・リソースにおいて受信される。これは、第２のメッセージにおいて、第３のメッセージの送信に関する情報によって指定される。
【００５７】
同様に、第３のメッセージの受信後、基地局は、あらかじめ決定された時間インタバルｔ３遅れた後、ステップ２０４において、ＵＥへ第４のメッセージ（ＬＴＥにおけるメッセージ４に対応する、または、Ｍｓｇ４として示される）を送信する。第４のメッセージは、第４のワイヤレス・リソースにおいて実行される。ステップ２００を参照して上述したように、第４のワイヤレス・リソースおよび／または第４のメッセージの送信フォーマットは、システム情報によって明示的または暗黙的に示され得る。明示的または暗黙的なインジケーションの例はすでに、ステップ２００に関する描写において提示されており、ここではさらに詳述されないであろう。
【００５８】
図２ｂは、ＵＥ側における対応する典型的な方法のフローチャートを例示する。図２ｂの典型的な実施形態において、ＵＥは先ず、ステップ２１０においてシステム情報を受信する。システム情報は、定期的に送信され、システム情報は、第２のメッセージ（ＲＡＲ、本明細書ではＭｓｇ２と呼ばれる）の送信に関する情報を備えているか、または、第２のメッセージの送信に関する情報と、第４のメッセージ（Ｍｓｇ４とも呼ばれる）の送信に関する情報との両方、たとえば、Ｍｓｇ２および／またはＭｓｇ４の送信候補セットを備えている。これは、ＵＥから見られるような、Ｍｓｇ２および／またはＭｓｇ４の復号候補セットでもある。Ｍｓｇ２および／またはＭｓｇ４の復号候補セットにおける各候補は、以下の情報の１つまたは複数のアイテムによって示され得る。
−周波数および時間の情報を含む候補リソースの場所、
−候補リソースのサイズ、
−対応するメッセージの変調コーディング・フォーマット、
−対応するメッセージの反復数または反復レベル、および
−対応するメッセージのスクランブリング・コード。
【００５９】
図１の描写において述べられたように、第２のメッセージの送信に関する情報と、第４のメッセージの送信に関する情報とが、明示的または暗黙的な方式で示され得る。明示的なインジケーションの例は、ＬＴＥ  ＰＤＣＣＨにおいて、ダウンリンク制御情報（ＤＣＩ）におけるリソース割当によって使用されるインジケーション・フォーマットを用いて、絶対的なリソース場所を示している。他のいくつかの実施形態において、Ｍｓｇ２および／またはＭｓｇ４の復号候補セットは、物理リソース・オフセットの方式で示され、たとえば、ＲＡＣＨリソースに対する候補リソースのオフセットが示される。別の例として、ＲＡＣＨリソースに対するオフセットは、Ｍｓｇ２の復号候補セットを示すために使用され、Ｍｓｇ２の復号候補セットに対するオフセットは、Ｍｓｇ４の復号候補セットを示すために使用され得る。これらの例において、オフセットは、周波数および／または時間におけるオフセットであり得る。
【００６０】
他のいくつかの実施形態において、Ｍｓｇ２および／またはＭｓｇ４の複数の復号候補が存在する場合、それらのうちの１つのみが示され、たとえば、この候補セットにおける第１の候補の情報のみが示される一方、残りの候補の情報は、あらかじめ定義されたルールによって取得され得る。
【００６１】
さらなる実施形態において、第２のメッセージの送信に関する情報と、システム情報に含まれる第４のメッセージの送信に関する情報とを暗黙的に示す例は、たとえば、システム情報は単にＲＡＣＨリソース（時間、周波数、プリアンブル信号シーケンスのコードワード、反復レベル）を明示的に示し、その間に、マッピング関係が定義され、これによって、各ＲＡＣＨリソースが、 Ｍｓｇ２の復号候補セットに対応するか、 または、Ｍｓｇ２の復号候補セットと、Ｍｓｇ４の復号候補セットとの両方に対応するようになることである。異なるＲＡＣＨリソースに対応する復号候補セットがオーバラップし、たとえば、極端なケースでは、異なるＲＡＣＨリソースに対応する復号候補セットは、完全に同じであり得る、たとえば、すべてのＲＡＣＨリソースが、同じ復号候補セットに対応することが注目されるべきである。
【００６２】
その後、ステップ２１１において、ＵＥは、基地局へ第１のメッセージを送り、第１のメッセージを送るためのワイヤレス・リソースが、システム情報に含まれるＲＡＣＨリソースに関する情報によって指定される。ＲＡＣＨリソースに関する情報は、時間、周波数、プリアンブル信号シーケンスのコードワード等のインジケーションであり得る。いくつかの実施形態において、ＲＡＣＨリソースに関する情報はさらに、カバレッジ拡張を必要とするＭＴＣ  ＵＥ（ＣＥ−ＭＴＣ  ＵＥ）のための特定のＲＡＣＨリソース・インジケーション、たとえば、ＣＥ−ＭＴＣ  ＵＥの利用可能な反復数または反復レベルのインジケーションを備え得る。ＲＡＣＨリソースに関する情報に基づいて、ＵＥは、どこからＲＡＣＨプリアンブル信号が送られるべきであるかを決定し、および／または、ＲＡＣＨプリアンブル信号の送信フォーマットを決定する。システム情報で指定された多くの種類のＲＡＣＨリソースおよび送信フォーマットが存在するのであれば、ＵＥは、複数のＲＡＣＨリソースからランダムに選択し得るか、または、測定および／または選択基準に基づいて、そこから適切なＲＡＣＨリソースを選択するであろう。
【００６３】
この実施形態に従って、第１のメッセージの受信後、あらかじめ決定された時間インタバルｔ１遅れて、ＵＥは、ステップ２１２を実行する、すなわち、基地局から第２のメッセージ（ＲＡＲ）を受信する。第２のメッセージは、第２のワイヤレス・リソースで検出される。ステップ２１０を参照して上述したように、第２のワイヤレス・リソースは、システム情報によって明示的または暗黙的に示され得る。明示的または暗黙的なインジケーションの例はすでに、ステップ２１０に関する描写において提示されており、ここではさらに詳述されないであろう。
【００６４】
受信された第２の情報は、第３のメッセージの送信に関する情報を備えているか、または、第３のメッセージの送信に関する情報と、第４のメッセージの送信に関する情報との両方、たとえば、送信リソースおよび／または送信フォーマットのインジケーションを備えている。実施形態に従って、ここにおける第４のメッセージの送信に関する情報は、システム情報に含まれるＭｓｇ４の復号候補セットにおける候補に関するインデクス値であり得る。
【００６５】
第２のメッセージを受信した後に、ＵＥは、あらかじめ決定された時間インタバルｔ２遅れた後、ステップ２１３において基地局へ第３のメッセージを送る。第３のメッセージは、第３のワイヤレス・リソースにおいて送られ、第３のワイヤレス・リソースは、第２のメッセージにおいて、第３のメッセージの送信に関する情報によって指定される。
【００６６】
同様に、第３のメッセージを送った後、ＵＥは、あらかじめ決定された時間インタバルｔ３遅れた後、ステップ２１４において、基地局から第４のメッセージを受信する。第４のメッセージは、第４のワイヤレス・リソースにおいて検出される。ステップ２１０を参照して上述したように、第４のワイヤレス・リソースおよび／または第４のメッセージの送信フォーマットは、システム情報によって明示的または暗黙的に示され得る。明示的または暗黙的なインジケーションの例は、ステップ２００に関する描写においてすでに提示されているので、ここではさらに詳述されることはないであろう。
【００６７】
図２ａにおけるあらかじめ決定された時間インタバルｔ１、ｔ２、ｔ３、ｔ４はそれぞれ、図２ｂにおけるあらかじめ決定された時間インタバルｔ１、ｔ２、ｔ３、ｔ４に等しいが、ｔ１、ｔ２、ｔ３、ｔ４のいずれか２つは、同じであり得るか、異なり得ることが注目されるべきである。あらかじめ決定された時間インタバルｔ１、ｔ２、ｔ３、ｔ４は、規格／技術仕様において指定され得るか、または、システム情報において基地局によってＵＥへ通知され得る。図３は、実施形態に従って図２ａおよび図２ｂに図示されるステップに対応する時間シーケンスの概要図を例示しており、ここでは、あらかじめ決定された時間インタバルｔ１、ｔ２、ｔ３、ｔ４の例が図示されている。図３の実施形態において、第１のメッセージ（プリアンブル信号）が送られた後、時間インタバルｔ１の遅れ後、第２のメッセージが送信され、第２のメッセージによって使用されるリソースが、ＲＡＲのためのワイヤレス・リソース（ＰＲＢ）候補セットから選択される。ＲＡＲのワイヤレス・リソース（ＰＲＢ）候補セットは、システム情報に含まれる。第２のメッセージが送られた後、第３のメッセージ（メッセージ３）が、時間インタバルｔ２の遅れ後に送られる。同様に、第３のメッセージが送られた後、第４のメッセージ（メッセージ４）が、時間インタバルｔ３の遅れ後に送られ、第４のメッセージによって使用されるリソースが、第４のメッセージのワイヤレス・リソース（ＰＲＢ）候補セットから選択される。第４のメッセージのワイヤレス・リソース（ＰＲＢ）候補セットは、システム情報に含まれているか、または、第２のメッセージに含まれている。
【００６８】
例として、図４は、オフセットの形式で示されるＲＡＲワイヤレス・リソース候補セットの概要図を例示する。この例において、ＲＡＲワイヤレス・リソース候補セットは、ＲＡＣＨリソースに対するオフセット１（オフセット１）と、第１の候補リソースに対するオフセット２（オフセット２）とによって示される２つの候補リソースを含む。いくつかの実施形態において、インジケーションは、１つのみのオフセットを用いて実行され、たとえば、第１の候補リソースを示すためにオフセット１のみが使用され、あらかじめ決定されたルールに従って第２の候補リソースが取得され、たとえば、オフセット２＝オフセット１という方式で、または、オフセット２が固定値に等しいという方式で、ルールが設定される。
【００６９】
別の例として、図５は、オフセットの形式で示された第４のメッセージのワイヤレス・リソース候補セットの概要図を例示する。この例において、第４のメッセージのワイヤレス・リソース候補が、ＲＡＲ候補リソースに対するオフセットであるオフセット３（オフセット３）によって示される。したがって、第４のメッセージの候補リソースが、ＲＡＲ候補リソースおよびオフセット３に関するインジケーションに基づいて決定され得る。これは単なる典型的な実施形態であり、他の実施形態では、第４のメッセージの候補リソースを示すためのオフセットはまた、ＲＡＣＨリソースに対するオフセットでもあり得ることが認識されるべきである。
【００７０】
図６は、オフセットを使用することによって候補リソースを示す別の例を例示する。この例において、オフセットは、ＲＡＣＨの反復レベルに依存する。たとえば、第１のメッセージの送信、すなわち、ＲＡＣＨプリアンブル信号の送信が、第１の反復レベルを適用しているのであれば、ＲＡＲの候補リソースが、ＲＡＣＨリソースに対するオフセット１を使用して決定され、第１のメッセージの送信、すなわち、ＲＡＣＨプリアンブル信号の送信が、第２の反復レベルを適用しているのであれば、ＲＡＲの候補リソースが、ＲＡＣＨリソースに対するオフセット１と他のオフセットｐ（オフセット−ｐ）の追加の結果を使用して決定され得る。
【００７１】
図７は、本開示の実施形態に従って、図２ａの方法を実行するための基地局７００の概要図を例示する。図面に図示されるように、この実施形態における基地局は、少なくとも以下のモジュールを備える。
【００７２】
第２のメッセージの送信に関する情報を備えているか、または、第２のメッセージの送信に関する情報と、第４のメッセージの送信に関する情報との両方を備えているシステム情報を送信するための第１の送信モジュール７０１。
【００７３】
第１のワイヤレス・リソース・ブロックで、端末から送信された第１のメッセージを受信するための第１の受信モジュール７０２。
【００７４】
第２のメッセージの送信に関する情報に従って、第２のワイヤレス・リソース・ブロックで端末へ第２のメッセージを送信するための第２の送信モジュール７０３。ここで、第２のメッセージは、第３のメッセージの送信に関する情報を備えているか、または、第３のメッセージの送信に関する情報と第４のメッセージの送信に関する情報との両方を備えている。
【００７５】
第３のメッセージの送信に関する情報に従って、第３のワイヤレス・リソース・ブロックで、端末から送信された第３のメッセージを受信するための第２の受信モジュール７０４。
【００７６】
システム情報に含まれる第４のメッセージの送信に関する情報、および／または、第２のメッセージに含まれる第４のメッセージの送信に関する情報に従って、第４のワイヤレス・リソース・ブロックで、端末へ第４のメッセージを送信するための第３の送信モジュール７０５。
【００７７】
本開示の装置のいくつかの実施形態において、第２のメッセージの送信およびシステム情報における第４のメッセージの送信に関する情報が、明示的な方式（たとえば、絶対的なリソースおよび／または送信フォーマット・インジケーション）または暗黙的な方式（たとえば、ＲＡＣＨリソース／送信フォーマットを用いたあらかじめ定義されたマッピング）で示され得る。明示的なインジケーションまたは暗黙的なインジケーションの例は、図２ａ〜図２ｂの描写において提示されており、ここでは、それ以上詳述されないであろう。第２のメッセージおよび第４のメッセージの送信に関する情報の内容は、第２のメッセージおよび第４のメッセージそれぞれの送信のための候補セットであり得る。候補セットにおける各候補は、以下の情報の１つまたは複数のアイテムによって示され得る。
−周波数および時間の情報を含む候補リソースの場所、
−候補リソースのサイズ、
−対応するメッセージの変調コーディング・フォーマット、
−対応するメッセージの反復数または反復レベル、および
−対応するメッセージのスクランブリング・コード。
【００７８】
本開示の装置のいくつかの実施形態において、第１のメッセージを受信するための第１のワイヤレス・リソースが、システム情報に含まれるＲＡＣＨリソースに関する情報によって指定される。たとえば、ＲＡＣＨのためにＣＥ−ＭＴＣ  ＵＥによって使用され得るリソース（時間、周波数、コードワード、反復数、または反復レベル）が、システム情報において示され得る。そして、対応するＲＡＣＨ送信フォーマット（たとえば、反復数）が、異なるＲＡＣＨ物理リソース（時間、周波数、コードワード）のために明示的または暗黙的に指定され得る。システム情報で指定された複数のＲＡＣＨリソースが存在するのであれば、第１の受信モジュール７０２は先ず、システム情報に従って、可能なＲＡＣＨ物理リソースおよび送信フォーマットを決定し、その後、それぞれの可能な物理リソースで、可能なＲＡＣＨフォーマットをブラインド検出し得る。
【００７９】
本開示の装置のいくつかの実施形態において、第２の送信モジュール７０３は、あらかじめ決定された時間インタバルｔ１に従って、第２のメッセージの送信期間を決定し、システム情報における第２のメッセージの送信に関する情報に従って、第２のメッセージの送信のための第２のワイヤレス・リソースおよびある送信フォーマットを決定し、第２のメッセージを送信する。上述したように、システム情報における第２のメッセージの送信に関する情報は、明示的または暗黙的に示され得る。明示的または暗黙的なインジケーションの例は、図２ａおよび図２ｂの描写においてすでに提示されているので、さらに詳述されることはないであろう。
【００８０】
本開示の装置のいくつかの実施形態において、装置における第２の受信モジュール７０４は、あらかじめ決定された時間インタバルｔ２に従って、第３のメッセージの受信時間を決定し、第２のメッセージにおける第３のメッセージの送信に関する情報に従って、第３のメッセージの受信および検出のための第３のワイヤレス・リソースおよびある送信フォーマットを決定し、第３のメッセージを受信する。
【００８１】
本開示の装置のいくつかの実施形態において、装置における第３の送信モジュール７０５は、あらかじめ決定された時間インタバルｔ３に従って、第４のメッセージの送信時間を決定し、システム情報における第４のメッセージの送信に関する情報、および／または、第２のメッセージにおける第４のメッセージの送信に関する情報に従って、第４のメッセージの送信のための第４のワイヤレス・リソースおよびある送信フォーマットを決定し、第４のメッセージを送信する。上記描写したように、システム情報における第４のメッセージの送信に関する情報は、明示的または暗黙的に示され得る。明示的または暗黙的なインジケーションの例は、図２ａおよび図２ｂの描写にすでに提示されているので、さらに詳述されることはないであろう。
【００８２】
図８は、本開示の実施形態に従って、図２ｂの方法を実行するためのＵＥ  ８００の概要図を例示する。図面に図示されるように、実施形態におけるＵＥ  ８００は、少なくとも以下のモジュールを備える。
【００８３】
第２のメッセージの送信に関する情報を備えているか、または、第２のメッセージの送信に関する情報と、第４のメッセージの送信に関する情報との両方を備えているシステム情報を受信するための第１の受信モジュール８０１。
【００８４】
第１のワイヤレス・リソース・ブロックで、基地局へ第１のメッセージを送信するための第１の送信モジュール８０２。
【００８５】
第２のメッセージの送信に関する情報に従って、基地局から、第２のメッセージを、第２のワイヤレス・リソースで受信するための第２の受信モジュール８０３。ここで、第２のメッセージは、第３のメッセージの送信に関する情報を備えているか、または、第３のメッセージの送信に関する情報と第４のメッセージの送信に関する情報との両方を備えている。
【００８６】
第３のメッセージの送信に関する情報に従って、第３のワイヤレス・リソース・ブロックで、第３のメッセージを送信するための第２の送信モジュール８０４。
【００８７】
システム情報に含まれる第４のメッセージの送信に関する情報、および／または、第２のメッセージに含まれる第４のメッセージの送信に関する情報に従って、第４のワイヤレス・リソース・ブロックで、基地局から第４のメッセージを受信するための第３の受信モジュール８０５。
【００８８】
本開示の装置のいくつかの実施形態において、システム情報における第２のメッセージと第４のメッセージの送信に関する情報は、明示的な方式（たとえば、絶対的なリソースおよび／または送信フォーマットのインジケーション）で、または、暗黙的な方式（たとえば、ＲＡＣＨリソース／送信フォーマットを用いてあらかじめ定義されたマッピング）で示され得る。明示的なインジケーションまたは暗黙的なインジケーションの例は、図２ａ〜図２ｂの描写において提示されており、ここではそれ以上詳述されないであろう。第２のメッセージおよび第４のメッセージの送信に関する情報の内容は、第２のメッセージおよび第４のメッセージそれぞれの送信の候補セットであり得る。候補セットにおける各候補は、以下の情報のうちの１つまたは複数のアイテムによって示され得る。
−周波数および時間の情報を含む候補リソースの場所、
−候補リソースのサイズ、
−対応するメッセージの変調コーディング・フォーマット、
−対応するメッセージの反復数または反復レベル、および
−対応するメッセージのスクランブリング・コード。
【００８９】
本開示の装置のいくつかの実施形態において、第１のメッセージを受信するための第１のワイヤレス・リソースは、システム情報に含まれるＲＡＣＨリソースに関する情報によって指定される。たとえば、ＲＡＣＨのためにＣＥ−ＭＴＣ  ＵＥによって使用され得るリソース（時間、周波数、コードワード、反復数または反復レベル）は、システム情報において示され、対応するＲＡＣＨ送信フォーマット（たとえば、反復数）は、異なるＲＡＣＨ物理リソース（時間、周波数、コードワード）のために明示的または暗黙的に指定され得る。システム情報において指定された複数のＲＡＣＨリソースが存在するのであれば、第１の送信モジュール８０２は先ず、システム情報に従って、可能なＲＡＣＨ物理リソースおよび送信フォーマットを決定し、その後、ＵＥの測定およびある選択ルールに従って、可能なリソースから１つをランダムに選択するか、または、１つのＲＡＣＨリソースを選択する。
【００９０】
本開示の装置のいくつかの実施形態において、第２の受信モジュール８０３は、あらかじめ決定された時間インタバルｔ１に従って、第２のメッセージの送信時間を決定し、システム情報における第２のメッセージの送信に関する情報に従って、第２のメッセージの検出のための第２のワイヤレス・リソースおよびある送信フォーマットを決定し、第２のメッセージを受信し、検出する。上記描写におけるように、システム情報における第２のメッセージの送信に関する情報は、明示的または暗黙的に示され得る。明示的または暗黙的なインジケーションの例はすでに図２ａおよび図２ｂの描写において提示されているので、さらに詳述されることはないであろう。
【００９１】
本開示の装置のいくつかの実施形態において、装置における第２の送信モジュール８０４は、あらかじめ決定された時間インタバルｔ２に従って、第３のメッセージの送信時間を決定し、第２のメッセージにおける第３のメッセージの送信に関する情報に従って、第３のメッセージの送信のための第３のワイヤレス・リソースおよびある送信フォーマットを決定し、第３のメッセージを送信する。
【００９２】
本開示の装置のいくつかの実施形態において、第３の受信モジュール８０５は、あらかじめ決定された時間インタバルｔ３に従って、第４のメッセージの送信時間を決定し、システム情報における第４のメッセージの送信に関する情報、および／または、第２のメッセージにおける第４のメッセージの送信に関する情報に従って、第４のメッセージの受信のための第４のワイヤレス・リソースおよびある送信フォーマットを決定し、第４のメッセージを受信する。上記描写におけるように、システム情報における第４のメッセージの送信に関する情報は、明示的または暗黙的に示され得る。
【００９３】
明示的または暗黙的なインジケーションの例は、図２ａおよび図２ｂの描写においてすでに提示されており、さらに詳述されることはないであろう。
【００９４】
さらに、図７および図８の典型的なブロック図は、本開示に緊密に関連する機能モジュールのみを図示しており、これらのモジュールに加えて、ＵＥおよび基地局は、他のモジュールを備え得ることが注目に値する。さらに、これら例は、これらモジュールを個々に図示しているが、実際は、当業者によって認識され得るように、これらモジュールのいくつかまたはすべては、特定の実施形態では、同じハードウェアまたはソフトウェアまたはファームウェアまたはこれらの組合せによって実現され得る。図７における１つのモジュールの機能は、他のいくつかの実施形態では、いくつかの個々のモジュールによって実行され得る。
【００９５】
当業者によって認識され得るように、図７および図８におけるモジュールは、たとえば、ハードウェア、ソフトウェア、ファームウェア、またはこれらの組合せの方式で実現され、本開示の装置は、プロセッサおよびメモリを備え得る。ここで、メモリは、プロセッサが、図２ａまたは図２ｂにおけるステップの動作の完了と、図７〜図８のモジュールの機能の実行とを行わせるように、プロセッサによって実行される命令を記憶するために使用される。ハードウェア、ソフトウェア、ファームウェア、またはこれらの組合せによるこれら実施方法は、当業者にとって容易に想到されるので、本明細書では、これらは網羅的にはリストされていない。
【００９６】
さらに、この記述および図面は単に、例によって本開示の原理を例示するだけである。したがって、当業者であれば、本明細書に明示的に記述も例示もされていない様々な構成を設計し得るが、本開示の原理を反映することができ、本開示の精神および範囲に含まれていることが認識される。その上、本明細書に開示されたすべての例は、主に、本開示の原理と、本技術分野の概念の発展への発明者の寄与とに対する読者の理解を支援するための例示目的のみのために特に意図されており、そのような具体的に開示された例および条件に限定されるとして解釈されないであろう。さらに、本原理、態様、および実施形態、およびそれらの特有の例をここで開示しているすべての記述は、それらの均等物をカバーすることが意図されている。
【図１】
2016539559.tif 000003
【図２ａ】
2016539559.tif 000004
【図２ｂ】
2016539559.tif 000005
【図３】
2016539559.tif 000006
【図４】
2016539559.tif 000007
【図５】
2016539559.tif 000008
【図６】
2016539559.tif 000009
【図７】
2016539559.tif 000010
【図８】
2016539559.tif 000011
【国際調査報告】
2016539559.tif 000012
2016539559.tif 000013
2016539559.tif 000014
2016539559.tif 000015
2016539559.tif 000016
2016539559.tif 000017